(57)【要約】【課題】分離式溶着モジュール付き電子式ハンディシーラーを提供する。【解決手段】分離式溶着モジュール付き電子式ハンディシーラーであり、それはケースの前端に位置するモジュール室とモジュール室の傍にあるバッテリ室を備えるケース、モジュール室から一体として着脱される溶着モジュール、ケースの後部端に軸固定されるプレスバーにより構成される。開示されたものにはまた、電子式ハンディシーラーに使用される取り外し可能な溶着モジュールがあり、それは加熱機構を収容する収納スペースを形成するモジュールカバープレートとモジュールシートプレートから構成され、モジュールシートプレートに固定されたスプリングの偏圧により、加熱機構の上部はモジュールカバープレートから突出する。【選択図】図１
2006298490.tif 000002
【特許請求の範囲】
【請求項１】
分離式溶着モジュール付き電子式ハンディシーラーにおいて、ケース、モジュール室とバッテリ室を具え、それぞれ分離プレートにより分けられ、モジュール室はバッテリカバープレートにより覆われ、分離プレートは金属接続部に繋がり、
溶着モジュール、ケースのモジュール室に対して一体化して装着或いは取り外され、モジュールカバープレートとモジュールシートプレートを含み、共に加熱機構を受容する収納スペースを形成し、加熱機構がモジュールシートプレートに固定されたスプリングにより加圧された場合、ここで加熱機構の上部はモジュールカバープレートより突出し、
プレスバー、ケースの後部端に軸として固定されるため、加熱機構がモジュールカバープレートより加圧され突出した場合、プレスバーの前部端は軸により加熱機構を押し下げることができることを特徴とする分離式溶着モジュール付き電子式ハンディシーラー。
【請求項２】
請求項１記載の分離式溶着モジュール付き電子式ハンディシーラーにおいて、当該溶着モジュールには断熱ベース、熱線、2つの金属クリップ、及び耐熱カバーシートを含み、熱線は断熱ベース上部に沿って配置され、末端は断熱ベースに接続された金属クリップに半田付けされることを特徴とする分離式溶着モジュール付き電子式ハンディシーラー。
【請求項３】
請求項１記載の分離式溶着モジュール付き電子式ハンディシーラーにおいて、当該溶着モジュールのモジュールシートプレートには、伝導プレートを固定するスロットと、スプリングを固定するスプリングホルダーを備えることを特徴とする分離式溶着モジュール付き電子式ハンディシーラー。
【請求項４】
請求項３記載の分離式溶着モジュール付き電子式ハンディシーラーにおいて、当該溶着モジュールのモジュールカバープレートには開口部を持ち、これは寸法において断熱ベースの上部の接触部に相当し、モジュールシートプレートのスプリングホルダーに固定されたスプリングの偏圧により、接触部を開口部から突出させることを特徴とする分離式溶着モジュール付き電子式ハンディシーラー。
【請求項５】
請求項１記載の分離式溶着モジュール付き電子式ハンディシーラーにおいて、当該分離プレートはケースと一体化して形成されることを特徴とする分離式溶着モジュール付き電子式ハンディシーラー。
【請求項６】
請求項１記載の分離式溶着モジュール付き電子式ハンディシーラーにおいて、当該溶着モジュールはモジュールと一体形成されたリブにより支えられることを特徴とする分離式溶着モジュール付き電子式ハンディシーラー。
【請求項７】
請求項１記載の分離式溶着モジュール付き電子式ハンディシーラーにおいて、当該溶着モジュールのモジュールカバープレートとモジュールシートプレートのそれぞれ側面が、ケースのモジュール室にある突出部に接合するための凹部が設置されることを特徴とする分離式溶着モジュール付き電子式ハンディシーラー。
【請求項８】
請求項１記載の分離式溶着モジュール付き電子式ハンディシーラーにおいて、当該モジュールカバープレートはその左右側面からそれぞれ出るホックを備え、モジュールシートプレートは、その上部の左右側面にそれぞれ位置する2つの接合部を持ち、従って、ホックを接合部に接合することにより、モジュールカバープレートとモジュールシートプレートはお互いに固定されることを特徴とする分離式溶着モジュール付き電子式ハンディシーラー。
【請求項９】
請求項１記載の分離式溶着モジュール付き電子式ハンディシーラーにおいて、当該モジュールシートプレートは、その後部側面から下がった壁、及びその上部前面にかかるルーフ部を持つことを特徴とする分離式溶着モジュール付き電子式ハンディシーラー。
【請求項１０】
請求項１記載の分離式溶着モジュール付き電子式ハンディシーラーにおいて、当該溶着モジュールは、モジュールカバープレートの側面の軸穴に接合するピボットピンを持つ安全停止プレートを備えるため、安全停止プレートはモジュールカバープレートを軸に動くことができることを特徴とする分離式溶着モジュール付き電子式ハンディシーラー。
【請求項１１】
請求項１記載の分離式溶着モジュール付き電子式ハンディシーラーにおいて、当該モジュールカバープレートは、左右側面に2つの凹部を持ち、各凹部はそれぞれの軸穴に近接し、モジュールカバープレートに接合する安全停止プレートは、倒したときに、凹部に収めることができることを特徴とする分離式溶着モジュール付き電子式ハンディシーラー。
【請求項１２】
当該モジュールシートプレートは、電子的に加熱機構に接触する伝導プレート及びスプリングを固定するスプリングホルダーを持ち、当該モジュールカバープレートは、開口部を持ち、これは寸法において断熱ベースに相当し、モジュールシートプレートのスプリングホルダーに固定されたスプリングに偏圧された場合、加熱機構の上部を開口部から突出させるモジュールカバープレートとモジュールシートプレートから構成され、共に過熱機構を受容する収納スペースを形成することを特徴とする電子式ハンディシーラーに使用される分離式溶着モジュール。
【請求項１３】
請求項１２記載の電子式ハンディシーラーに使用される分離式溶着モジュールにおいて、当該加熱機構は断熱ベース、熱線、2つの金属クリップ、及び耐熱カバーシートを含み、熱線は断熱ベース上部に沿って配置され、末端は断熱ベースに接続された金属クリップに溶接されることを特徴とする電子式ハンディシーラーに使用される分離式溶着モジュール。
【請求項１４】
請求項１２記載の電子式ハンディシーラーに使用される分離式溶着モジュールにおいて、当該モジュールシートプレートは、伝導プレートを固定するスロットを備えることを特徴とする電子式ハンディシーラーに使用される分離式溶着モジュール。
【請求項１５】
請求項１２記載の電子式ハンディシーラーに使用される分離式溶着モジュールにおいて、モジュールカバープレートとモジュールシートプレートが装備され、その側面には電子シーラーのケースに接合する凹部を持つことを特徴とする電子式ハンディシーラーに使用される分離式溶着モジュール。
【請求項１６】
請求項１２記載の電子式ハンディシーラーに使用される分離式溶着モジュールにおいて、当該モジュールシートプレートは、その後部側面から下がったウォール部、及びその上部前面にかかるルーフ部を持つことを特徴とする電子式ハンディシーラーに使用される分離式溶着モジュール。
【請求項１７】
請求項１２記載の電子式ハンディシーラーに使用される分離式溶着モジュールにおいて、当該モジュールカバープレートはその左右側面からそれぞれ出るホックを備え、モジュールシートプレートは、その上部の左右側面にそれぞれ位置する2つの接合部を持ち、従って、ホックを接合部に接合することにより、モジュールカバープレートとモジュールシートプレートはお互いに固定されることを特徴とする電子式ハンディシーラーに使用される分離式溶着モジュール。
【請求項１８】
請求項１２記載の電子式ハンディシーラーに使用される分離式溶着モジュールにおいて、当該モジュールカバープレートの側面の軸穴に接合するピボットピンを持つ安全停止プレートを備えるため、安全停止プレートはモジュールカバープレートを軸に動くことができることを特徴とする電子式ハンディシーラーに使用される分離式溶着モジュール。
【請求項１９】
請求項１８記載の電子式ハンディシーラーに使用される分離式溶着モジュールにおいて、当該モジュールカバープレートは、左右側面に2つの凹部を持ち、各凹部はそれぞれの軸穴に近接し、モジュールカバープレートに接合する安全停止プレートは、倒したときに、凹部に収めることができることを特徴とする電子式ハンディシーラーに使用される分離式溶着モジュール。
【発明の詳細な説明】
【技術分野】
【０００１】
本発明は電子シーラーであり、特に分離式溶着モジュール付き電子式ハンディシーラーに関連する。
【背景技術】
【０００２】
伝統的に、Chang et al.へ発行されたU.S.特許番号6326594で明らかにされたようなプラスチックバッグの密封に使用される電子式ハンディシーラーは、他の要素と共に、ケースとプラスチックバッグを密封する熱を生成する溶着機構から構成される。溶着機構はケースに装着され、断熱ベース、熱線、2つの金属定位プレート、耐熱カバーシート、圧縮スプリングを含む。圧縮スプリングは、ケースに位置するスプリングホルダーに固定された下部末端を持つため、溶着機構は圧縮スプリング上に支えられ、ケースと相対的に上下移動できる。しかし、例えば熱線が疲弊した場合など、溶着機構の除去及び交換が必要な場合、使用者が関連する部品を取り除き、機能する熱線と共にケースに戻すには時間を要する。従って、電子式ハンディシーラー構造の改善により、このような欠点を克服することが望ましい。
【発明の開示】
【発明が解決しようとする課題】
【０００３】
本発明の目的は、分離式溶着モジュール付き電子式ハンディシーラーを提供する点にある。当該溶着モジュールは、単一ユニットとして、電子シーラーのケースに簡単に装着及び取り外すことができる。この電子式ハンディシーラー構造の改善を通じて、不良の熱線のような以前の技術的問題は、不良ユニットを新規溶着モジュールと単に交換することにより簡単かつ直ちに解決される。この目的を達成するため、本発明は、ケース前端に位置するモジュール室を備えたケース及びモジュール室のそばに位置するバッテリ室、モジュール室に配置される溶着モジュール、及びケースの後部末端に軸固定されたプレスバーから構成され、プレスバーを押すと、溶着モジュール内の熱線はバッテリ室内に設置されたバッテリによりエネルギーを供給され、加熱モジュールに配置されたプラスチックバッグは密封される。当該溶着モジュールは、モジュールカバープレート及びモジュールシートプレートを含み、共に固定され、他の要素と共に、断熱ベースを含む加熱機構を収容する収納スペースを形成する。モジュールシートプレートは伝導プレートを固定するスロット、及びスプリングを受けるスプリングホルダーを備える。熱線は断熱ベースの上部に沿って配置され、その末端は、伝導プレートに接触する金属クリップに溶接され、伝導プレートはバッテリに接触する金属接続部に接する。運用において、プレスバーが押し下げられると、断熱ベースは強制的に下に移動させられ、金属クリップを伝導プレートに接触させるため、熱線を接合させ、溶着モジュールの上部に置かれたプラスチックバッグを密封する。熱線が不良になり、シーラーが動作不能になった場合、必要な操作は既存の溶着モジュールを新しいものに置き換えるだけである。
【課題を解決するための手段】
【０００４】
請求項１の発明は、分離式溶着モジュール付き電子式ハンディシーラーにおいて、ケース、モジュール室とバッテリ室を具え、それぞれ分離プレートにより分けられ、モジュール室はバッテリカバープレートにより覆われ、分離プレートは金属接続部に繋がり、
溶着モジュール、ケースのモジュール室に対して一体化して装着或いは取り外され、モジュールカバープレートとモジュールシートプレートを含み、共に加熱機構を受容する収納スペースを形成し、加熱機構がモジュールシートプレートに固定されたスプリングにより加圧された場合、ここで加熱機構の上部はモジュールカバープレートより突出し、
プレスバー、ケースの後部端に軸として固定されるため、加熱機構がモジュールカバープレートより加圧され突出した場合、プレスバーの前部端は軸により加熱機構を押し下げることができることを特徴とする分離式溶着モジュール付き電子式ハンディシーラーとしている。
請求項２の発明は、請求項１記載の分離式溶着モジュール付き電子式ハンディシーラーにおいて、当該溶着モジュールには断熱ベース、熱線、2つの金属クリップ、及び耐熱カバーシートを含み、熱線は断熱ベース上部に沿って配置され、末端は断熱ベースに接続された金属クリップに半田付けされることを特徴とする分離式溶着モジュール付き電子式ハンディシーラーとしている。
請求項３の発明は、請求項１記載の分離式溶着モジュール付き電子式ハンディシーラーにおいて、当該溶着モジュールのモジュールシートプレートには、伝導プレートを固定するスロットと、スプリングを固定するスプリングホルダーを備えることを特徴とする分離式溶着モジュール付き電子式ハンディシーラーとしている。
請求項４の発明は、請求項３記載の分離式溶着モジュール付き電子式ハンディシーラーにおいて、当該溶着モジュールのモジュールカバープレートには開口部を持ち、これは寸法において断熱ベースの上部の接触部に相当し、モジュールシートプレートのスプリングホルダーに固定されたスプリングの偏圧により、接触部を開口部から突出させることを特徴とする分離式溶着モジュール付き電子式ハンディシーラーとしている。
請求項５の発明は、請求項１記載の分離式溶着モジュール付き電子式ハンディシーラーにおいて、当該分離プレートはケースと一体化して形成されることを特徴とする分離式溶着モジュール付き電子式ハンディシーラーとしている。
請求項６の発明は、請求項１記載の分離式溶着モジュール付き電子式ハンディシーラーにおいて、当該溶着モジュールはモジュールと一体形成されたリブにより支えられることを特徴とする分離式溶着モジュール付き電子式ハンディシーラーとしている。
請求項７の発明は、請求項１記載の分離式溶着モジュール付き電子式ハンディシーラーにおいて、当該溶着モジュールのモジュールカバープレートとモジュールシートプレートのそれぞれ側面が、ケースのモジュール室にある突出部に接合するための凹部が設置されることを特徴とする分離式溶着モジュール付き電子式ハンディシーラーとしている。
請求項８の発明は、請求項１記載の分離式溶着モジュール付き電子式ハンディシーラーにおいて、当該モジュールカバープレートはその左右側面からそれぞれ出るホックを備え、モジュールシートプレートは、その上部の左右側面にそれぞれ位置する2つの接合部を持ち、従って、ホックを接合部に接合することにより、モジュールカバープレートとモジュールシートプレートはお互いに固定されることを特徴とする分離式溶着モジュール付き電子式ハンディシーラーとしている。
請求項９の発明は、請求項１記載の分離式溶着モジュール付き電子式ハンディシーラーにおいて、当該モジュールシートプレートは、その後部側面から下がった壁、及びその上部前面にかかるルーフ部を持つことを特徴とする分離式溶着モジュール付き電子式ハンディシーラーとしている。
請求項１０の発明は、請求項１記載の分離式溶着モジュール付き電子式ハンディシーラーにおいて、当該溶着モジュールは、モジュールカバープレートの側面の軸穴に接合するピボットピンを持つ安全停止プレートを備えるため、安全停止プレートはモジュールカバープレートを軸に動くことができることを特徴とする分離式溶着モジュール付き電子式ハンディシーラーとしている。
請求項１１の発明は、請求項１記載の分離式溶着モジュール付き電子式ハンディシーラーにおいて、当該モジュールカバープレートは、左右側面に2つの凹部を持ち、各凹部はそれぞれの軸穴に近接し、モジュールカバープレートに接合する安全停止プレートは、倒したときに、凹部に収めることができることを特徴とする分離式溶着モジュール付き電子式ハンディシーラーとしている。
【０００５】
請求項１２の発明は、当該モジュールシートプレートは、電子的に加熱機構に接触する伝導プレート及びスプリングを固定するスプリングホルダーを持ち、当該モジュールカバープレートは、開口部を持ち、これは寸法において断熱ベースに相当し、モジュールシートプレートのスプリングホルダーに固定されたスプリングに偏圧された場合、加熱機構の上部を開口部から突出させるモジュールカバープレートとモジュールシートプレートから構成され、共に過熱機構を受容する収納スペースを形成することを特徴とする電子式ハンディシーラーに使用される分離式溶着モジュールとしている。
請求項１３の発明は、請求項１２記載の電子式ハンディシーラーに使用される分離式溶着モジュールにおいて、当該加熱機構は断熱ベース、熱線、2つの金属クリップ、及び耐熱カバーシートを含み、熱線は断熱ベース上部に沿って配置され、末端は断熱ベースに接続された金属クリップに溶接されることを特徴とする電子式ハンディシーラーに使用される分離式溶着モジュールとしている。
請求項１４の発明は、請求項１２記載の電子式ハンディシーラーに使用される分離式溶着モジュールにおいて、当該モジュールシートプレートは、伝導プレートを固定するスロットを備えることを特徴とする電子式ハンディシーラーに使用される分離式溶着モジュールとしている。
請求項１５の発明は、請求項１２記載の電子式ハンディシーラーに使用される分離式溶着モジュールにおいて、モジュールカバープレートとモジュールシートプレートが装備され、その側面には電子シーラーのケースに接合する凹部を持つことを特徴とする電子式ハンディシーラーに使用される分離式溶着モジュールとしている。
請求項１６の発明は、請求項１２記載の電子式ハンディシーラーに使用される分離式溶着モジュールにおいて、当該モジュールシートプレートは、その後部側面から下がったウォール部、及びその上部前面にかかるルーフ部を持つことを特徴とする電子式ハンディシーラーに使用される分離式溶着モジュールとしている。
請求項１７の発明は、請求項１２記載の電子式ハンディシーラーに使用される分離式溶着モジュールにおいて、当該モジュールカバープレートはその左右側面からそれぞれ出るホックを備え、モジュールシートプレートは、その上部の左右側面にそれぞれ位置する2つの接合部を持ち、従って、ホックを接合部に接合することにより、モジュールカバープレートとモジュールシートプレートはお互いに固定されることを特徴とする電子式ハンディシーラーに使用される分離式溶着モジュールとしている。
請求項１８の発明は、請求項１２記載の電子式ハンディシーラーに使用される分離式溶着モジュールにおいて、当該モジュールカバープレートの側面の軸穴に接合するピボットピンを持つ安全停止プレートを備えるため、安全停止プレートはモジュールカバープレートを軸に動くことができることを特徴とする電子式ハンディシーラーに使用される分離式溶着モジュールとしている。
請求項１９の発明は、請求項１８記載の電子式ハンディシーラーに使用される分離式溶着モジュールにおいて、当該モジュールカバープレートは、左右側面に2つの凹部を持ち、各凹部はそれぞれの軸穴に近接し、モジュールカバープレートに接合する安全停止プレートは、倒したときに、凹部に収めることができることを特徴とする電子式ハンディシーラーに使用される分離式溶着モジュールとしている。
【発明の効果】
【０００６】
本発明のプログラム映像ファイルをロードしてコンピュータ装置の機能選択項目をスピーディにスタートさせる方法は、コンピュータ装置がユーザの実行したい特定の機能を選択した時、コンピュータがシステムスタート時の各項目システムテスト、検査、初動化の作業を省略でき、コンピュータ装置のハードディスク内で、予め選択してあるアプリケーションプログラム映像ファイルを直接採取して実行するため、アプリケーションプログラムの実行速度が向上するという利点がある。実際に応用する時、音楽ディスク、デジタル音楽装置、ビデオディスク、テレビ信号レシーバ等のマルチメディア読取装置のアプリケーションプログラムを予め映像ファイルの型に作っておき、ハードディスク内で保存しておくため、マルチメディア機能の放送を実行するスピードが高まる。本発明では各アプリケーションプログラムの各設定パラメータ値関連ファイルも保存することにより、ユーザが各アプリケーションプログラムを実行する時、アプリケーションプログラムがパラメータ設定機能を提供する場合、設定のパラメータを設定パラメータ値関連ファイル内に保存できるため、更に便利さが増す。
【発明を実施するための最良の形態】
【０００７】
図１及び図２に示すように、本発明の最初の具体例に依る電子式ハンディシーラーは、分離式溶着モジュール10を備え、単一ユニットとして、電子シーラーのケース20に簡単に装着及び取り外しが可能である。ケース20は、ケース20の前端に位置するモジュール室24、及びモジュール室24のそばのバッテリ室31を備え、室24、31はそれぞれ分離プレート27により分けられる。モジュール室24は、ケース20と一体して成型されたリブ25により支えられた溶着モジュール10を収容し、バッテリ室31は、ケース20と一体成型されたバッテリホルダー32に支えられたバッテリ30を収容する。分離プレート27もケース20と一体成型され、分離プレート27に取り付けられた金属接続部33を持つ。バッテリカバープレート21は、バッテリ30を保護するために、ケース20に装着され、ケース20のホック23はバッテリカバープレート21の内部側面に設けられた凹部(非表示)に接合される。
【０００８】
プレスバー40は、後端にピボットピン41を持ち、ピボットピン41を軸穴22にそれぞれ配置することにより、ケース20の後端に軸固定される。プレスバー40の前端は、断熱ブロック42を備え、プレスバー40の下面には、プレスバー40と一体成型されたリブ43がある。プレスバー40は、押し下げられていない通常状態において、立ち上がった状態を保ち、これはスプリングポスト26に対する隣接するリブ43によってなされ、スプリングポスト26はケース20に配置されたスプリング(非表示)によって支えられる。
【０００９】
図３から図６に示す溶着モジュール10は、例えばプレート12、16の反対側面に沿った貼り付けにより、お互いに固定されたモジュールカバープレート12とモジュールシートプレート16を含み、加熱機構を収容する収納スペース17を形成する。加熱機構は断熱ベース13、熱線131、2つの金属クリップ132、及び耐熱カバーシート134を含み、熱線131は断熱ベース13の上部に沿って配置され、末端部は断熱ベース13に固定される金属クリップ132に溶接される。モジュールシートプレート16は、伝導プレート15を固定するスロット162、及びスプリング14を固定するスプリングホルダー161を備える。当該金属クリップ132は、バッテリ30に接触する金属接続部33に繋がる伝導プレート15に電気的に接する。断熱カバーシート134は断熱ベース13の上面に張り付き、熱線131及び金属クリップ132を覆う。安全停止プレート11は、その端に、モジュールカバープレート12の側面に配置される軸穴122と接合するピボットピン111を備えるため、安全停止プレート11はモジュールカバープレート12の上に軸回転できる。モジュールカバープレート12は、開口部121を持ち、これは寸法において断熱ベース13の上部の接触部133に相当し、モジュールシートプレート16のスプリングホルダー161に固定されたスプリング14に偏圧され、接触部133を断熱ベース上の開口部121から突出させる。モジュールカバープレート12とモジュールシートプレート16は、それぞれ、その側面に凹部123、163を持ち、ケース20のモジュール室24に備わる突出部28に接合されため、溶着モジュール10はモジュール室24の位置に固定できる。
【００１０】
当該作業において、プレスバー40が軸を元に押し下げられると、その前端に位置する断熱ブロック42が断熱ベース13の上部の接触部133に接し、断熱ベース13は下方に押し下げられる。この動きはスプリング14を抑え、金属クリップ132を伝導プレート15に接触させ(図３と図４を参照)、バッテリ室31内に配置するバッテリ30からの電流により熱線131にエネルギーを供給し、溶着モジュール10の上部に置いたプラスチックバッグ(非表示)を密封する。プレスバー40に加えられた力が開放された場合、スプリング14が復元し、断熱ベース13を押し上げ、加熱機構と共に位置に戻り、金属クリップ132は伝導プレート15から離れ、熱線131のエネルギーは途絶え、安全停止プレート11が持ち上がり、不意な溶着操作を防止できる。熱線131が不良となり、対象とするシーラーが動作不能となった場合、すべての必要な手順は、溶着モジュール10をユニットとしてケース20のモジュール室24から取り外し、新しい溶着モジュールと交換することである。
【００１１】
図７から図１１に示す、今回の発明の2番目の具体例において、ケース20から一体として装着及び取り外し可能な、分離式溶着モジュール50付き電子式ハンディシーラーは、最初の具体例と類似した構造と機能を備える。同様に、2番目の具体例の部品に対する参照番号は、最初の具体例とほとんど同じため、繰り返し述べることは避けるが、例外は溶着モジュール50であり、最初の具体例の溶着モジュール10とは構造において著しく異なる。
【００１２】
一般的に、今回の発明の2番目の具体例に基づく電子シーラーも、金属接続部33が装着された分離プレート27で分けられたモジュール室24とバッテリ室31を持つケース20から構成される。モジュール室24は、リブ25により支えられる溶着モジュール50を収容する。
【００１３】
図９から図１１に示す、溶着モジュール50は、お互いに固定されたモジュールカバープレート52及びモジュールシートプレート56を含み、加熱機構を収容する収納スペース57を形成する。加熱機構は、断熱ベース53、熱線531、2つの金属クリップ532、耐熱カバーシート534を含み、熱線531は断熱ベース53の上部に沿って配置され、金属クリップ532に溶接される。モジュールシートプレート56は、伝導プレート55を固定するスロット562、及びスプリング54を固定するスプリングホルダー561を備える。金属クリップ532は、伝導プレート55に電気的に接触する。耐熱カバーシート534は、断熱ベース53の上面に貼り付けられる。安全停止プレート51は、モジュールカバープレート52の側面の軸穴522に接合するためのピボットピン511を備え、凹部524は、軸穴522に近接し、モジュールカバープレート52の左右側面にそれぞれ設けられ、安全停止プレート51は、倒したときに、凹部524に収めることができる。当該モジュールカバープレート52は、寸法において断熱ベース53の上部の接触部533に相当する開口部521を備え、接触部533を開口部521から突出させることができる。当該モジュールカバープレート52は、その左右側面からそれぞれ下がる2つのホック523を持つ、また、当該モジュールシートプレート56は、その上部の左右側面にそれぞれ位置する接続部564を持つので、モジュールカバープレート52とモジュールシートプレート56は、ホック523を接合部564とそれぞれ接合することにより、お互いに固定される。当該モジュールシートプレート56は、その後側面より下がるウォール部565を持ち、その上部前にかかるルーフ部563を持ち、溶着モジュール50がケース20のモジュール室24に収納された場合、ウォール部565は室24の後部ウォール部241に密接に隣接し、ルーフ部563はケース20の分離プレート27の上部に留まる。
【図面の簡単な説明】
【００１４】
【図１】本発明の最初の具体例に関する電子シーラーの分解図である。
【図２】本発明の最初の具体例に関する電子シーラーの組み立て断面図である。
【図３】本発明の最初の具体例に関する溶着モジュールの断面図であり、安全停止プレートは立ち上がった位置にあり、プレスバーが溶着モジュールに対して意図せずして押し下げられることを防止できる。
【図４】本発明の最初の具体例に関する溶着モジュールの断面図であり、溶着モジュールは押し下げられ、安全停止プレートは倒され、断熱ベースは下に移動されている。
【図５】本発明の最初の具体例に関する溶着モジュールの斜視図である。
【図６】本発明の最初の具体例に関する溶着モジュールの分解図である。
【図７】本発明の2番目の具体例に関する電子シーラーの分解図である。
【図８】本発明の2番目の具体例に関する電子シーラーの組み立て斜視図である。
【図９】本発明の2番目の具体例に関する溶着モジュールの断面図であり、安全停止プレートは立ち上がった位置にあり、プレスバーが溶着モジュールに対して意図せずして押し下げられることを防止できる。
【図１０】本発明の2番目の具体例に関する溶着モジュールの断面図であり、溶着モジュールは押し下げられ、安全停止プレートは倒され、断熱ベースは下に移動されている。
【図１１】本発明の2番目の具体例に関する溶着モジュールの分解図である。
【符号の説明】
【００１５】
10、50    溶着モジュール
20ケース
24、31    バッテリ室
27    分離プレート
25    成型されたリブ
32    バッテリホルダー
30    バッテリ
33    金属接続部
21    バッテリカバープレート
23    ホック
40    プレスバー
41    ピボットピン
22    軸穴
42    断熱ブロック
43    リブ
26    スプリングポスト
12、16    プレート
17、57    収納スペース
13、53    断熱ベース
131、531    熱線
132、532    金属クリップ
134、534    耐熱カバーシート
15、55    伝導プレート
162、562    スロット
14、54    スプリング
161、561    スプリングホルダー
11、51    安全停止プレート
122、522    軸穴
111、511    ピボットピン
12、52    モジュールカバープレート
121、521    開口部
133、533    接触部
123、163、524    凹部
28    突出部
31    バッテリ室
56    モジュールシートプレート
565、241    ウォール部
【図１】
2006298490.tif 000003
【図２】
2006298490.tif 000004
【図３】
2006298490.tif 000005
【図４】
2006298490.tif 000006
【図５】
2006298490.tif 000007
【図６】
2006298490.tif 000008
【図７】
2006298490.tif 000009
【図８】
2006298490.tif 000010
【図９】
2006298490.tif 000011
【図１０】
2006298490.tif 000012
【図１１】
2006298490.tif 000013